(57)【要約】【課題】簡単な機構によりノズル面の払拭の有無を切り替えることができるノズル面払拭装置および画像記録装置を提供する。【解決手段】ノズル面３３を払拭する長尺状の払拭ウェブ１１０と、払拭ウェブ１１０を長手方向に沿って走行させる払拭ウェブ走行駆動手段と、払拭ウェブ１１０をノズル面３３に押圧当接させる押圧ローラ１１８と、押圧ローラ１１８を介して払拭ウェブ１１０をノズル面３３に押付ける力を付与するバネ１５６と、押圧ローラ１１８に対して払拭ウェブ１１０の下流側の走行速度を上流側の走行速度より速くすることで、払拭ウェブ１１０に張力を付与し、バネ１５６の付勢力に反する方向に押圧ローラ１１８を移動させるテンション付与手段と、を備え、張力の付与により、ノズル面の払拭の有無を切り替えるノズル面払拭装置、および、これを備える画像記録装置である。【選択図】図５
2014054834.tif 000002
【特許請求の範囲】
【請求項１】
吐出ヘッドのノズル面に沿って相対的に移動して、前記ノズル面を払拭するノズル面払拭装置において、
回転可能な供給軸と、
ロール状に巻かれて前記供給軸に装着される払拭ウェブと、
巻取軸と、
前記払拭ウェブを前記巻取軸に巻き取らせて、前記払拭ウェブを走行させる払拭ウェブ走行駆動手段と、
前記供給軸と前記巻取軸との間を走行する前記払拭ウェブが巻き掛けられて、前記払拭ウェブを前記ノズル面に押圧当接させる押圧部材と、
前記払拭ウェブの走行方向に対して前記押圧部材の上流側で前記払拭ウェブの走行を制動する制動手段と、
を備えたノズル面払拭装置。
【請求項２】
前記払拭ウェブ走行駆動手段及び前記制動手段を制御して、払拭時における前記払拭ウェブの走行を制御する走行制御手段であって、前記押圧部材に巻き掛けられた前記払拭ウェブの走行方向が前記ノズル面の移動方向と逆となる場合は、前記制動手段を作動させずに、前記払拭ウェブ走行駆動手段を作動させ、前記押圧部材に巻き掛けられた前記払拭ウェブの走行方向が前記ノズル面の移動方向と同じになる場合は、前記払拭ウェブ走行駆動手段を作動させずに、前記制動手段を作動させる走行制御手段と、
を更に備える請求項１に記載のノズル面払拭装置。
【請求項３】
前記押圧部材を前記ノズル面に対して進退可能に支持する押圧部材支持手段と、
前記押圧部材を前記ノズル面に向けて付勢する付勢手段と、
前記払拭ウェブ走行駆動手段及び前記制動手段を制御することにより、前記払拭ウェブにテンションを付与して、前記押圧部材を前記ノズル面から退避させるテンション付与手段であって、前記制動手段を作動させた状態で前記払拭ウェブ走行駆動手段を作動させて、前記払拭ウェブにテンションを付与するテンション付与手段と、
を更に備える請求項１又は２に記載のノズル面払拭装置。
【請求項４】
前記制動手段は、前記供給軸の回転を制動して、前記払拭ウェブの走行を制動する請求項１から３のいずれか１項に記載のノズル面払拭装置。
【請求項５】
前記供給軸に連動して回転する回転部材を更に備え、
前記制動手段は、
前記回転部材に当接して、前記回転部材の回転を制動する制動部材と、
前記回転部材に対して前記制動部材を進退移動させて、前記制動部材を前記回転部材に当接／離間させる進退駆動手段と、
を備える請求項４に記載のノズル面払拭装置。
【請求項６】
前記回転部材が、前記供給軸に連動して回転する回転ギアであり、
前記制動部材が、回転不能な固定ギアであり、
前記進退駆動手段によって、前記固定ギアを前記回転ギアに噛合／離脱させる請求項５に記載のノズル面払拭装置。
【請求項７】
前記供給軸と、前記払拭ウェブと、前記巻取軸と、前記押圧部材と、前記回転部材とを備えたケースと、
前記払拭ウェブ走行駆動手段の駆動源と、前記制動手段とを備え、前記ケースが着脱自在に装着される装置本体と、
を更に備えた請求項５又は６に記載のノズル面払拭装置。
【請求項８】
前記供給軸の回転を検出する回転検出手段と、
前記払拭ウェブ走行駆動手段による前記巻取軸の駆動停止中に前記回転検出手段で前記供給軸の回転が検出されると、警告を発生する警告手段と、
を更に備える請求項１から７のいずれか１項に記載のノズル面払拭装置。
【請求項９】
吐出ヘッドのノズル面を清掃するノズル面払拭装置において、
前記ノズル面に当接させて前記ノズル面を払拭する払拭ウェブと、
前記払拭ウェブを長手方向に沿って走行させる払拭ウェブ走行駆動手段と、
前記払拭ウェブを前記ノズル面に押圧当接させる押圧部材と、
前記押圧部材を介して前記払拭ウェブを前記ノズル面に押し付ける力を付与する付勢手段と、
前記押圧部材に対して前記払拭ウェブの下流側の走行速度を上流側の走行速度より速くすることで、前記払拭ウェブにテンションを付与し、前記付勢手段の付勢力に反する方向に前記押圧部材を移動させるテンション付与手段と、を備え、
前記テンションの付与により、前記ノズル面の払拭の有無を切り替えるノズル面払拭装置。
【請求項１０】
記録媒体を搬送する搬送部と、
前記搬送部によって搬送される記録媒体にインク滴を吐出して画像を形成する吐出ヘッドと、
前記吐出ヘッドのノズル面を清掃する請求項１から９のいずれか１項に記載のノズル面払拭装置と、
を備える画像記録装置。
【発明の詳細な説明】
【技術分野】
【０００１】
本発明は、ノズル面払拭装置及び画像記録装置に係り、特に、払拭ウェブを用いて吐出ヘッドのノズル面を払拭するノズル面払拭装置及び画像記録装置に関する。
【背景技術】
【０００２】
インクジェット記録装置（画像記録装置）に搭載されるインクジェットヘッド（吐出ヘッド）は、使用によりノズル面にインクの残渣や紙粉などの異物が付着する。ノズル面への異物の付着は、不吐出や吐出方向不良などの吐出不良の原因になる。このため、インクジェット記録装置では、定期的にノズル面の清掃が行われる。このノズル面の清掃方法の一つとして、吸収性を有する平帯状の払拭部材（払拭ウェブ）でノズル面を払拭する方法が知られている。
【０００３】
払拭ウェブによるノズル面の払拭は、たとえば、押圧ローラなどの押圧部材に巻き掛けた払拭ウェブを一定の方向に移動するインクジェットヘッドのノズル面に押圧当接させることにより行われる。この場合、ノズル面を払拭するか否かは、払拭ウェブをノズル面に当接させるか否かによって切り替えられる。
【０００４】
特許文献１、２には、ノズル面への払拭部材の当接／離間を切り替える方法として、押圧部材を進退機構で進退移動させる方法が提案されている。また、特許文献３、４には、払拭装置全体を進退機構で進退移動させて、ノズル面への払拭部材の当接／離間を切り替える方法が提案されている。
【０００５】
ノズル面への払拭ウェブの当接／離間を切り替える方法としては、この他にもインクジェットヘッドを進退移動させる方法などが知られている。
【０００６】
ところで、払拭ウェブによるノズル面の払拭は、通常、払拭ウェブを走行させながら行われる。そして、この払拭ウェブの走行方向は、通常、ノズル面の相対的な移動方向と逆の方向に設定される。すなわち、たとえば、移動するインクジェットヘッドのノズル面に払拭ウェブを押圧部材で押圧当接させてノズル面を払拭する場合、インクジェットヘッドの移動方向と逆方向に払拭ウェブを走行させて、ノズル面を払拭する。このため、ノズル面を払拭できる方向は一方向に限定される。そこで、特許文献３、４では、払拭装置全体の向きを切り替えることにより、払拭ウェブの走行方向を切り替えられるようにすることが提案されている。
【先行技術文献】
【特許文献】
【０００７】
【特許文献１】特開２０１１−７３１４５号公報
【特許文献２】特開２０１０−２４０５０７号公報
【特許文献３】特開２０１１−８３９００号公報
【特許文献４】特開２０１０−２３４６６７号公報
【発明の概要】
【発明が解決しようとする課題】
【０００８】
しかしながら、払拭装置全体の向きを切り替えて、払拭ウェブの走行方向を切り替えると、装置が複雑かつ大型化するという問題がある。
【０００９】
一方、払拭ウェブの走行方向を切り替えずに、往復移動するインクジェットヘッドのノズル面を払拭すると、次のような問題が生じる。すなわち、通常、払拭ウェブは、供給軸から巻取軸に巻き取ることにより、一方向に走行する構成とされている。このため、押圧部材に巻き掛けられた払拭ウェブの走行方向と、ノズル面の移動方向とが同じ方向になると、ノズル面に引かれて、払拭ウェブが強制的に供給軸から引き出されてしまい、払拭ウェブに弛みが生じてしまうという問題がある。
【００１０】
また、上記のように、ノズル面の払拭の有無はノズル面への払拭ウェブの当接／離間を切り替えることにより行われるが、ノズル面への払拭ウェブの当接／離間を可能にするために、払拭装置全体を進退移動させる構成にすると、装置が複雑かつ大型化するという欠点がある。
【００１１】
押圧ローラを進退移動させてノズル面への払拭ウェブの当接／離間を切り替える場合も、別途、押圧ローラを進退移動させる機構が必要になるため、装置が複雑かつ大型化するという欠点がある。
【００１２】
また、インクジェットヘッドを移動させて、ノズル面に払拭ウェブを当接／離間させる方法では、インクの背圧が変動し、メニスカスが崩れて、気泡が混入するという欠点がある。
【００１３】
本発明は、このような事情に鑑みてなされたものであり、簡単な機構によりノズル面を二方向から払拭でき、また、簡単な機構によりノズル面の払拭の有無を切り替えることができるノズル面払拭装置及び画像記録装置を提供することを目的とする。
【課題を解決するための手段】
【００１４】
課題を解決するための手段は、次のとおりである。
【００１５】
第１の態様は、吐出ヘッドのノズル面に沿って相対的に移動して、前記ノズル面を払拭するノズル面払拭装置において、回転可能な供給軸と、ロール状に巻かれて前記供給軸に装着される払拭ウェブと、巻取軸と、前記払拭ウェブを前記巻取軸に巻き取らせて、前記払拭ウェブを走行させる払拭ウェブ走行駆動手段と、前記供給軸と前記巻取軸との間を走行する前記払拭ウェブが巻き掛けられて、前記払拭ウェブを前記ノズル面に押圧当接させる押圧部材と、前記払拭ウェブの走行方向に対して前記押圧部材の上流側で前記払拭ウェブの走行を制動する制動手段と、を備えたノズル面払拭装置である。
【００１６】
本態様によれば、押圧部材の上流側（供給軸側）において、払拭ウェブの走行を制動手段によって制動することができる。押圧部材に巻き掛けられた払拭ウェブの走行方向と、ノズル面の相対的な移動方向とが同じになる場合は、払拭ウェブの走行を制動手段によって制動することにより、供給軸から払拭ウェブが強制的に引き出されるのを防止することができる。これにより、二方向からノズル面を払拭することができる。
【００１７】
第２の態様は、第１の態様のノズル面払拭装置において、払拭ウェブ走行駆動手段及び制動手段を制御して、払拭時における払拭ウェブの走行を制御する走行制御手段であって、押圧部材に巻き掛けられた払拭ウェブの走行方向がノズル面の移動方向と逆になる場合は、制動手段を作動させずに、払拭ウェブ走行駆動手段を作動させ、押圧部材に巻き掛けられた払拭ウェブの走行方向がノズル面の移動方向と同じになる場合は、払拭ウェブ走行駆動手段を作動させずに、制動手段を作動させる走行制御手段と、を更に備える態様である。
【００１８】
本態様によれば、ノズル面の移動方向に応じて、制動手段及び払拭ウェブ走行駆動手段が制御される。すなわち、払拭ウェブの走行方向がノズル面の移動方向と逆になる場合は、制動手段を作動させずに、払拭ウェブ走行駆動手段を作動させる。これにより、払拭ウェブを走行させながら、ノズル面に払拭ウェブを押し当てることができる。また、払拭ウェブの走行方向がノズル面の移動方向と同じになる場合は、払拭ウェブ走行駆動手段を作動させずに、制動手段を作動させる。すなわち、押圧部材の上流側において、払拭ウェブの動きを止めさせる。これにより、払拭ウェブをノズル面に当接させても、払拭ウェブが供給軸から引き出されるのを防止することができる。
【００１９】
第３の態様は、第１又は２の態様のノズル面払拭装置において、押圧部材をノズル面に対して進退可能に支持する押圧部材支持手段と、押圧部材をノズル面に向けて付勢する付勢手段と、払拭ウェブ走行駆動手段及び制動手段を制御することにより、払拭ウェブにテンションを付与して、押圧部材をノズル面から退避させるテンション付与手段であって、制動手段を作動させた状態で払拭ウェブ走行駆動手段を作動させて、払拭ウェブにテンションを付与するテンション付与手段と、を更に備える態様である。
【００２０】
本態様によれば、押圧部材がノズル面に対して進退可能に支持され、かつ、ノズル面に向けて付勢される。これにより、払拭ウェブをノズル面に対して適切に押圧当接させることができる。
【００２１】
また、本態様よれば、払拭ウェブにテンションを付与することができ。これにより、押圧部材をノズル面に対して進退移動させることができる。すなわち、上記のように、押圧部材はノズル面に対して進退可能に支持され、かつ、ノズル面に向けて付勢されているため、払拭ウェブにテンションを付与すると、付与したテンションに応じて進退移動する（高いテンションを付与すると、ノズル面から退避する方向に移動する。）。これにより、ノズル面払拭装置の全体をノズル面に対して進退移動させたり、吐出ヘッドをノズル面払拭装置に対して進退移動させたりすることなく、ノズル面に対する払拭ウェブの当接／離間を切り替えることができる。
【００２２】
ここで、テンション付与手段よる払拭ウェブへのテンションの付与は、払拭ウェブ走行駆動手段及び制動手段を制御することにより行われ、制動手段を作動させた状態で払拭ウェブ走行駆動手段を作動させることにより、払拭ウェブにテンションを付与する。すなわち、押圧部材の上流側で払拭ウェブの動きを止め、この状態で払拭ウェブを巻取軸で巻き取ることにより、払拭ウェブにテンションを付与する。これにより、簡単に払拭ウェブにテンションを付与することができる。
【００２３】
第４の態様は、第１から３のいずれか１の態様のノズル面払拭装置において、制動手段は、供給軸の回転を制動して、払拭ウェブの走行を制動する態様である。
【００２４】
本態様によれば、供給軸の回転を制動して、払拭ウェブの走行が制動される。これにより、押圧部材の上流側において、簡単に払拭ウェブの走行を制動できる。
【００２５】
第５の態様は、第４の態様のノズル面払拭装置において、供給軸に連動して回転する回転部材を更に備え、制動手段は、回転部材に当接して、回転部材の回転を制動する制動部材と、回転部材に対して制動部材を進退移動させて、制動部材を回転部材に当接／離間させる進退駆動手段と、を備える態様である。
【００２６】
本態様では、供給軸に連動して回転する回転部材に制動部材を当接させることにより、供給軸の回転を制動する。本態様によれば、回転部材に対する制動部材の当接／離間を制御するだけで簡単に供給軸の回転を制動できる。
【００２７】
第６の態様は、第５の態様のノズル面払拭装置において、回転部材が、供給軸に連動して回転する回転ギアであり、制動部材が、回転不能な固定ギアであり、進退駆動手段によって、固定ギアを回転ギアに噛合／離脱させる態様である。
【００２８】
本態様では、供給軸に連動して回転する回転ギアに固定ギアを噛み合わせることにより、供給軸の回転を制動する。本態様によれば、回転ギアに対する固定ギアの噛合／離脱を制御するだけで、簡単かつ確実に供給軸の回転を制動できる。
【００２９】
第７の態様は、第５又は６の態様のノズル面払拭装置において、供給軸と、払拭ウェブと、巻取軸と、押圧部材と、回転部材とを備えたケースと、払拭ウェブ走行駆動手段の駆動源と、制動手段とを備え、ケースが着脱自在に装着される装置本体と、を更に備えた態様である。
【００３０】
本態様によれば、ケースを装置本体に装着すると、巻取軸の駆動、及び、供給軸の制動が可能になる。払拭ウェブ走行駆動手段の駆動源と制動手段とを本体側に備えることにより、ケース側の構成を簡素化できる。
【００３１】
第８の態様は、第１から７のいずれか１の態様のノズル面払拭装置において、供給軸の回転を検出する回転検出手段と、払拭ウェブ走行駆動手段による巻取軸の駆動停止中に回転検出手段で供給軸の回転が検出されると、警告を発生する警告手段と、を更に備える態様である。
【００３２】
本態様によれば、供給軸の回転が回転検出手段で検出され、その検出結果に基づいて装置の異常が検出される。すなわち、払拭ウェブ走行駆動手段による巻取軸の駆動停止中に回転検出手段で供給軸の回転が検出されると、巻取軸で払拭ウェブを巻き取っていないのに、払拭ウェブが供給軸から引き出されていることになるので、異常と判定することができる。この異常が検出されると、警告手段によって警告が発生される。これにより、異常を早期に検出することができる。
【００３３】
第９の態様は、吐出ヘッドのノズル面を清掃するノズル面払拭装置において、ノズル面に当接させてノズル面を払拭する払拭ウェブと、払拭ウェブを長手方向に沿って走行させる払拭ウェブ走行駆動手段と、払拭ウェブをノズル面に押圧当接させる押圧部材と、押圧部材を介して払拭ウェブをノズル面に押し付ける力を付与する付勢手段と、押圧部材に対して払拭ウェブの下流側の走行速度を上流側の走行速度より速くすることで、払拭ウェブにテンションを付与し、付勢手段の付勢力に反する方向に押圧部材を移動させるテンション付与手段と、を備え、テンションの付与により、ノズル面の払拭の有無を切り替えるノズル面払拭装置である。
【００３４】
本態様によれば、押圧部材に対して、払拭ウェブの下流側の走行速度を上流側の走行速度より速くすることで、払拭ウェブにテンションを付与することができ、押圧部材を付勢手段の付勢力に反する方向、すなわち、吐出ヘッドのノズル面と反対側に移動させることができる。押圧部材をノズル面と反対側に移動させることで、払拭ウェブがノズル面と接触しなくなるため、ノズル面を払拭することなく、吐出ヘッドの移動を行うことができる。したがって、押圧部材の退避動作を払拭ウェブにテンションを付与することで、容易に行うことができる。
【００３５】
第１０の態様は、記録媒体を搬送する搬送部と、搬送部によって搬送される記録媒体にインク滴を吐出して画像を形成する吐出ヘッドと、吐出ヘッドのノズル面を清掃する請求項１から９のいずれか１項に記載のノズル面清払拭置と、を備える画像記録装置である。
【００３６】
本態様によれば、ノズル面払拭装置を備えているので、吐出安定性を高めることができる。また、ノズル面払拭装置の押圧部材を上下移動させ、吐出ヘッドは上下移動させないため、メニスカスを安定させることができる。
【発明の効果】
【００３７】
本発明によれば、簡単な機構によりノズル面を二方向から払拭でき、また、簡単な機構によりノズル面の払拭の有無を切り替えることができる。
【図面の簡単な説明】
【００３８】
【図１】インクジェット記録装置の要部の構成を示す正面図
【図２】インクジェット記録装置の要部の構成を示す平面図
【図３】インクジェット記録装置の要部の構成を示す側面図
【図４】ヘッドのノズル面の平面透視図
【図５】ノズル面払拭装置の第１実施形態の概略構成を示す正面断面図
【図６】押圧ローラの軸部を支持する軸支持部の構成を示す部分断面図
【図７】図６の７−７断面図
【図８】第１実施形態のノズル面払拭装置の動作説明図
【図９】ノズル面払拭装置の第２実施形態の概略構成を示す正面断面図
【図１０】洗浄モードの工程を示すフローチャート図
【図１１】ノズル面払拭装置の第３実施形態の概略構成を示す正面断面図
【図１２】ノズル面払拭装置の第３実施形態の概略構成を示す背面図
【図１３】第３実施形態のノズル面払拭装置の動作説明図
【図１４】第３実施形態のノズル面払拭装置の動作説明図
【図１５】第３実施形態のノズル面払拭装置の変形例を示す正面断面図
【図１６】供給軸の回転検出機能を備えたノズル面払拭装置の概略構成を示す背面図
【発明を実施するための形態】
【００３９】
以下、添付図面に従って本発明の好ましい実施の形態について説明する。
【００４０】
〔第１実施形態〕
《インクジェット記録装置》
〈インクジェットヘッドの構成〉
図１〜図３は、本実施形態の画像記録装置の一例としてインクジェット記録装置の要部の構成を示す正面図、平面図、側面図である。
【００４１】
同図に示すように、このインクジェット記録装置１０は、シングルパス方式のラインプリンタであり、主として、記録媒体である用紙（枚葉紙）Ｐを搬送する用紙搬送部２０と、複数のインクジェットヘッド（以下、「ヘッド」という。）を備えたヘッドユニット３０と、ヘッドユニット３０を移動させるヘッド移動機構（不図示）と、ヘッドユニット３０に備えられた各ヘッドのメンテナンスを行うメンテナンス部４０と、ヘッドユニット３０に備えられた各ヘッドのノズル面を清掃するノズル面清掃部８０とで構成される。
【００４２】
用紙搬送部２０は、用紙Ｐをベルト搬送する。すなわち、走行するベルト２２に用紙Ｐを吸着させて、用紙Ｐを搬送する。ベルト２２は、一部の箇所で水平に走行するように、走行経路が設定される。用紙搬送部２０は、ベルト２２が水平に走行する箇所を利用して、用紙Ｐを水平に搬送する。用紙Ｐは、この用紙搬送部２０によって、水平な姿勢で一定方向（Ｙ方向）に搬送される。
【００４３】
ヘッドユニット３０は、シアンのインク滴を吐出するヘッド３２Ｃと、マゼンタのインク滴を吐出するヘッド３２Ｍと、イエロのインク滴を吐出するヘッド３２Ｙと、クロのインク滴を吐出するヘッド３２Ｋと、各ヘッド３２Ｃ、３２Ｍ、３２Ｙ、３２Ｋが取り付けられるヘッド支持フレーム３４とを備える。
【００４４】
吐出ヘッドとしてのヘッド３２Ｃ、３２Ｍ、３２Ｙ、３２Ｋは、印刷対象とする用紙Ｐの最大用紙幅に対応したラインヘッドで構成される。なお、各ヘッド３２Ｃ、３２Ｍ、３２Ｙ、３２Ｋの構成は同じなので、以下においては、特に区別する場合を除いて、ヘッド３２として、その説明を行う。
【００４５】
ヘッド３２は、矩形のブロック状の形状を有し、底部にノズル面３３（３３Ｃ、３３Ｍ、３３Ｙ、３３Ｋ）を有する。
【００４６】
図４は、ヘッドのノズル面の平面透視図である。
【００４７】
ノズル面３３は、長方形の形状を有する。ノズル面３３には、長手方向に沿ってノズルが配列される。本実施形態では、ノズルＮが二次元マトリクス状に配置されている。このようにノズルＮを配置することにより、ヘッド３２の長手方向に投影される実質的なノズルＮの間隔を狭めることができ、ノズルＮの高密度化を図ることができる。ノズル面３３には撥液処理が施される（たとえば、表面に撥液膜が備えられる。）。
【００４８】
ヘッド３２は、いわゆるピエゾ方式でノズルＮからインク滴を吐出させる。各ノズルＮは、それぞれ圧力室に連通されており、この圧力室の壁面をピエゾ素子で振動させることにより、ノズルＮからインク滴を吐出させる。なお、インク滴を吐出させる方式は、これに限らず、たとえば、サーマル方式等でインク滴を吐出させる構成とすることもできる。
【００４９】
ヘッド支持フレーム３４は、各ヘッド３２を取り付けるためのヘッド取付部（不図示）を備えている。各ヘッド３２は、このヘッド取付部に着脱自在に取り付けられる。
【００５０】
各ヘッド３２は、ヘッド支持フレーム３４に取り付けられると、用紙Ｐの搬送方向に対して直交して配置される（Ｘ方向に沿って配置される。）。また、各ヘッド３２は、ヘッド支持フレーム３４に取り付けられると、ノズル面３３が水平に配置される（ＸＹ平面と平行に配置される。）。また、各ヘッド３２は、ヘッド支持フレーム３４に取り付けられると、用紙Ｐの搬送方向（Ｙ方向）に沿って一定の間隔を持って配置される。
【００５１】
ヘッド取付部は、上下方向（Ｚ方向）の位置が調整可能に設けられる。ヘッド取付部に取り付けられた各ヘッド３２は、ヘッド取付部の高さ位置（Ｚ方向の位置）を調整することにより、ノズル面３３の高さ位置が調整される。
【００５２】
ヘッド移動機構は、ヘッドユニット３０を用紙Ｐの搬送方向（Ｙ方向）と直交する方向（Ｘ方向）に水平移動させる。
【００５３】
このヘッド移動機構は、たとえば、用紙搬送部２０を跨いで水平に設置される天井フレームと、その天井フレームに敷設されるガイドレールと、ガイドレール上をスライド移動する走行体と、その走行体をガイドレールに沿って移動させる駆動手段（たとえば、送りネジと、その送りネジを回転駆動するモータ等からなる送りねじ機構など）とで構成される。ヘッドユニット３０は、ヘッド支持フレーム３４が走行体に取り付けられて、水平にスライド移動する。
【００５４】
ヘッドユニット３０に備えられた各ヘッド３２は、ヘッドユニット３０がヘッド移動機構に駆動されて水平移動することにより、所定の「画像記録位置」と「メンテナンス位置」との間を移動する。
【００５５】
ヘッド３２は、画像記録位置に位置すると、用紙搬送部２０の上方に位置する。これにより、用紙搬送部２０によって搬送される用紙Ｐに向けて各ヘッド３２からインク滴を吐出することが可能になり、用紙搬送部２０によって搬送される用紙Ｐに画像を形成することが可能になる。
【００５６】
メンテナンス部４０には、各ヘッド３２のノズル面３３を覆うキャップ４２（４２Ｃ、４２Ｍ、４２Ｙ、４２Ｋ）が備えられる。
【００５７】
ヘッド３２は、メンテナンス位置に位置すると、キャップ４２の上方に位置する。装置を長時間停止する場合などは、ヘッドユニット３０をメンテナンス位置に移動させ、ヘッド３２のノズル面３３をキャップ４２で覆う。これにより、乾燥による不吐出が防止される。
【００５８】
キャップ４２には、ノズル内を加圧・吸引するための加圧・吸引機構（不図示）や、キャップ４２内に洗浄液を供給するための洗浄液供給機構（不図示）などが備えられる。また、キャップ４２の下方位置には廃液トレイ４４が配置される。キャップ４２に供給された洗浄液は、この廃液トレイ４４に廃棄され、廃液トレイ４４から廃液回収配管４６を介して廃液タンク４８に回収される。
【００５９】
ノズル面清掃部８０は、ヘッドユニット３０の移動経路上に設置される。ノズル面清掃部８０は、ヘッド３２のノズル面３３に洗浄液を付与する洗浄液付与ユニット８１と、ヘッド３２のノズル面３３を払拭するノズル面払拭ユニット８３とを備える。
【００６０】
洗浄液付与ユニット８１は、ヘッド３２が、メンテナンス位置と画像記録位置との間を移動する際、そのノズル面３３に洗浄液を付与する。
【００６１】
ノズル面払拭ユニット８３は、ヘッド３２が、メンテナンス位置と画像記録位置との間を移動する際、そのノズル面３３を払拭する。
【００６２】
なお、このノズル面清掃部８０の構成については、後に詳述する。
【００６３】
〈インクジェット記録装置の作用〉
用紙Ｐは、用紙搬送部２０によって一方向に沿って水平に搬送される。用紙Ｐは、画像記録装置に位置したヘッドユニット３０の下を通過する。このヘッドユニット３０の下を通過する際、ヘッドユニット３０に備えられた各ヘッド３２から用紙Ｐに向けてインク滴が吐出される。これにより、用紙Ｐに画像が記録される。
【００６４】
《ノズル面清掃部》
ノズル面清掃部８０は、洗浄液付与ユニット８１と、ノズル面払拭ユニット８３とを備える。
【００６５】
〈洗浄液付与ユニット〉
［洗浄液付与ユニットの構成］
洗浄液付与ユニット８１は、ヘッドユニット３０に備えられた各ヘッド３２Ｃ、３２Ｍ、３２Ｙ、３２Ｋのノズル面３３Ｃ、３３Ｍ、３３Ｙ、３３Ｋに個別に洗浄液を付与する洗浄液付与ノズル８４Ｃ、８４Ｍ、８４Ｙ、８４Ｋを備える。各洗浄液付与ノズル８４Ｃ、８４Ｍ、８４Ｙ、８４Ｋは、ヘッド３２Ｃ、３２Ｍ、３２Ｙ、３２Ｋの設置間隔に合わせて、共通の架台８６に設置される。
【００６６】
なお、各洗浄液付与ノズル８４Ｃ、８４Ｍ、８４Ｙ、８４Ｋの構成は同じであるので、以下においては、特に区別する場合を除いて、洗浄液付与ノズル８４として、その説明を行う。
【００６７】
洗浄液付与ノズル８４は、ブロック状の形状を有し、上面部分に水平な洗浄液保持面８５（８５Ｃ、８５Ｍ、８５Ｙ、８５Ｋ）を有する。洗浄液保持面８５は、洗浄液噴出穴（不図示）を有する。洗浄液供給装置（不図示）から洗浄液付与ノズル８４に洗浄液を供給すると、この洗浄液噴出穴から洗浄液が噴出される。洗浄液保持面８５は、この洗浄液噴出穴から噴出される洗浄液を保持する役割を果たす。
【００６８】
ヘッド３２は、画像記録位置とメンテナンス位置との間を移動することにより、洗浄液付与ノズル８４の上を通過する。ヘッド３２が、洗浄液付与ノズル８４の上を通過する際、洗浄液保持面８５の上に保持された洗浄液が、ヘッド３２のノズル面３３に接触して、ノズル面３３に洗浄液が付与される。
【００６９】
洗浄液供給装置（不図示）は、各洗浄液付与ノズル８４Ｃ、８４Ｍ、８４Ｙ、８４Ｋに洗浄液を供給する。洗浄液供給装置は、たとえば、洗浄液を貯留する洗浄液タンク、洗浄液タンクと洗浄液付与ノズル８４とを接続する洗浄液供給配管、洗浄液供給配管に備えられる洗浄液バルブと、洗浄液供給配管を介して洗浄液タンクから洗浄液付与ノズル８４に洗浄液を送液する洗浄液供給ポンプ等で構成される。洗浄液を洗浄液付与ノズル８４に供給する場合は、洗浄液バルブを開き、洗浄液供給ポンプを駆動する。これにより、洗浄液タンクに貯留された洗浄液が洗浄液供給配管を介して洗浄液付与ノズル８４に供給される。
【００７０】
［洗浄液付与装置の作用］
ノズル面３３への洗浄液の付与は、ヘッドユニット３０を移動させて、洗浄液付与ユニット８１の上を通過させることにより行われる。
【００７１】
洗浄液供給装置から洗浄液付与ノズル８４に洗浄液を供給すると、洗浄液保持面８５に備えられた洗浄液噴出穴から洗浄液が噴出する。噴出した洗浄液は、洗浄液保持面８５の上に保持される。
【００７２】
ヘッド３２は、洗浄液付与ノズル８４の上を通過する際、洗浄液保持面８５の上に保持された洗浄液にノズル面３３が接触する。これにより、ノズル面３３に洗浄液が付与される。
【００７３】
このように、洗浄液付与ユニット８１は、洗浄液保持面８５の上に保持された洗浄液にノズル面３３を接触させることにより、ノズル面３３に洗浄液を付与する。
【００７４】
〈ノズル面払拭ユニット〉
ノズル面払拭ユニット８３は、ヘッドユニット３０に備えられた各ヘッド３２Ｃ、３２Ｍ、３２Ｙ、３２Ｋのノズル面３３Ｃ、３３Ｍ、３３Ｙ、３３Ｋを個別に払拭するノズル面払拭装置１００Ｃ、１００Ｍ、１００Ｙ、１００Ｋを備える。各ノズル面払拭装置１００Ｃ、１００Ｍ、１００Ｙ、１００Ｋは、ヘッド３２Ｃ、３２Ｍ、３２Ｙ、３２Ｋの設置間隔に合わせて、共通の架台８２に設置される。
【００７５】
なお、各ノズル面払拭装置１００Ｃ、１００Ｍ、１００Ｙ、１００Ｋの構成は同じなので、以下においては、特に区別する場合を除いて、ノズル面払拭装置１００として、その説明を行う。
【００７６】
［ノズル面払拭装置の構成］
図５は、ノズル面払拭装置１００の概略構成を示す正面断面図である。
【００７７】
ノズル面払拭装置１００は、長手方向に沿って移動するヘッド３２のノズル面３３に払拭ウェブ１１０を押圧当接させて、ノズル面３３を払拭する。
【００７８】
ノズル面払拭装置１００は、払拭ウェブ１１０を収容するケース１１２と、払拭ウェブ１１０を繰り出す供給軸１１４と、払拭ウェブ１１０を巻き取る巻取軸１１６と、払拭ウェブ１１０をノズル面３３に押圧当接させる押圧ローラ１１８と、供給軸１１４と押圧ローラ１１８との間で払拭ウェブ１１０の走行をガイドする前段ガイド部１２０と、押圧ローラ１１８とフィードローラ１２４との間で払拭ウェブ１１０の走行をガイドする後段ガイド部１２２と、払拭ウェブ１１０に送りを与えるフィードローラ１２４と、フィードローラ１２４との間で払拭ウェブ１１０をニップするニップローラ２００と、巻取軸１１６を回転駆動する供給軸回転駆動モータ１３２と、巻取軸１１６を回転駆動する巻取軸回転駆動モータ１３４と、フィードローラ１２４を回転駆動するフィードローラ回転駆動モータ１３６と、各モータの駆動を制御する制御回路１３８と、を備える。
【００７９】
払拭ウェブ１１０は、吸収性を有する帯状のシート材（たとえば、ＰＥＴ（polyethylene terephthalate；ポリエチレンテレフタラート）、ＰＥ（polyethylene；ポリエチレン）、ＮＹ（nylon；ナイロン）、アクリル等の極微細繊維を用いた編みまたは織りからなるシート材）で構成される。払拭ウェブ１１０の幅は、払拭対象とするヘッド３２のノズル面３３の短手方向の幅（ヘッド３２の移動方向と直交する方向の幅）に対応しており、その幅と同じ又は略同じ幅である。
【００８０】
供給軸１１４は、ケース１１２に備えられた軸受（不図示）に回転自在に支持される。供給軸１１４は、ヘッド３２の移動方向と直交して配置され、かつ、水平に配置される（Ｙ方向に沿って配置される。）。供給軸１１４には、リール（不図示）が着脱自在に装着される。払拭ウェブ１１０は、このリールにロール状に巻かれて、供給軸１１４に装着される。
【００８１】
巻取軸１１６は、ケース１１２に備えられた軸受（不図示）に回転自在に支持される。巻取軸１１６は、ヘッド３２の移動方向と直交して配置され、かつ、水平に配置される（Ｙ方向に沿って配置される。）。巻取軸１１６には、リール（不図示）が着脱自在に装着される。払拭ウェブ１１０は、この巻取軸１１６に装着されたリールにロール状に巻き取られる。
【００８２】
押圧ローラ（押圧部材）１１８は、ケース１１２に備えられた軸支持部１４６に回転自在かつ上下動自在に支持される。押圧ローラ１１８は、ヘッド３２の移動方向と直交して配置され、かつ、水平に配置される（Ｙ方向に沿って配置される。）。払拭ウェブ１１０は、この押圧ローラ１１８を介してヘッド３２のノズル面３３に押圧当接される。
【００８３】
なお、押圧ローラ１１８は、上方向（ノズル面３３に押圧当接させる方向）に付勢された状態で軸支持部１４６に回転自在かつ上下動自在に支持される。この点については、後述する。
【００８４】
前段ガイド部１２０は、ケース１１２の所定位置に配設された複数のガイドローラ１２０Ａ、１２０Ｂ、１２０Ｃで構成される。各ガイドローラ１２０Ａ、１２０Ｂ、１２０Ｃは、ケース１１２に備えられた軸受（不図示）に回転自在に支持される。各ガイドローラ１２０Ａ、１２０Ｂ、１２０Ｃは、ヘッド３２の移動方向と直交して配置され、かつ、水平に配置される（Ｙ方向に沿って配置される。）。払拭ウェブ１１０は、各ガイドローラ１２０Ａ、１２０Ｂ、１２０Ｃに巻き掛けられて、供給軸１１４と押圧ローラ１１８との間を走行する。
【００８５】
後段ガイド部１２２は、ケース１１２の所定位置に配設された複数のガイドローラ１２２Ａ、１２２Ｂで構成される。各ガイドローラ１２２Ａ、１２２Ｂは、ケース１１２に備えられた軸受（不図示）に回転自在に支持される。各ガイドローラ１２２Ａ、１２２Ｂは、ヘッド３２の移動方向と直交して配置され、かつ、水平に配置される（Ｙ方向に沿って配置される。）。払拭ウェブ１１０は、各ガイドローラ１２２Ａ、１２２Ｂに巻き掛けられて、押圧ローラ１１８とフィードローラ１２４との間を走行する。
【００８６】
なお、この前段ガイド部１２０及び後段ガイド部１２２を構成するガイド部材の数や設置位置等は、供給軸１１４や巻取軸１１６、押圧ローラ１１８等の設置位置等に応じて適宜調整される。
【００８７】
ただし、払拭ウェブ１１０は、押圧ローラ１１８の上側の周面に巻き掛けられるように、その走行経路が設定される。
【００８８】
また、押圧ローラ１１８の前後に配置されるガイド部材（本実施形態では、ガイドローラ１２０Ｃ及びガイドローラ１２２Ａ）は、押圧ローラ１１８に巻き掛けられた払拭ウェブ１１０のテンションによって、押圧ローラ１１８に下向きの力がかかるように、左右対称に配置することが好ましい。
【００８９】
フィードローラ１２４は、ケース１１２に備えられた軸受（不図示）に回転自在に支持される。フィードローラ１２４は、ヘッド３２の移動方向と直交して配置され、かつ、水平に配置される（Ｙ方向に沿って配置される。）。フィードローラ１２４は、フィードローラ回転駆動モータ１３６に駆動されて回転する。これにより、フィードローラ１２４に巻き掛けられた払拭ウェブ１１０に送りが与えられる。
【００９０】
ニップローラ２００は、ケース１１２に備えられた軸受（不図示）に回転自在かつ上下動自在に支持される。ニップローラ２００は、フィードローラ１２４と平行に配置され、バネ２０１に付勢されて、フィードローラ１２４の周面に押圧当接される。ニップローラ２００は、外周部がゴム等の弾性体で被覆されており、フィードローラ１２４に巻き掛けられた払拭ウェブ１１０をフィードローラ１２４との間でニップする。払拭ウェブ１１０は、ニップローラ２００によってニップされることにより、吸収している液体が除去される。払拭ウェブ１１０から除去された液体は、ニップローラ２００の下部に配置される廃液受け（不図示）で回収され、廃液タンク４８に廃液される。
【００９１】
供給軸１１４の回転駆動源としての供給軸回転駆動モータ１３２は、ケース１１２に備えられ、供給軸１１４を回転駆動する。供給軸１１４は、この供給軸回転駆動モータ１３２を駆動することにより回転する。また、供給軸１１４は、この供給軸回転駆動モータ１３２の駆動を停止することにより、回転が止められる。これにより、払拭ウェブ１１０の繰り出しが止められる（繰り出しにブレーキが掛けられる。）。すなわち、供給軸回転駆動モータ１３２は、制動手段としても機能し、押圧ローラ１１８の上流側で払拭ウェブ１１０の走行を制動する。
【００９２】
巻取軸１１６の回転駆動源としての巻取軸回転駆動モータ１３４は、ケース１１２に備えられ、巻取軸１１６を回転駆動する。
【００９３】
フィードローラ１２４の回転駆動源としてのフィードローラ回転駆動モータ１３６は、ケース１１２に備えられ、フィードローラ１２４を回転駆動する。
【００９４】
制御回路１３８は、供給軸回転駆動モータ１３２、巻取軸回転駆動モータ１３４、及び、フィードローラ回転駆動モータ１３６の駆動を制御して、払拭ウェブ１１０の走行を制御する。
【００９５】
したがって、本実施形態のノズル面払拭装置１００では、供給軸１１４と、供給軸回転駆動モータ１３２と、巻取軸１１６と、巻取軸回転駆動モータ１３４と、フィードローラ１２４と、フィードローラ回転駆動モータ１３６とが、払拭ウェブ走行駆動手段を構成する。
【００９６】
また、後述するように、制御回路１３８は、供給軸回転駆動モータ１３２、巻取軸回転駆動モータ１３４、及び、フィードローラ回転駆動モータ１３６の駆動を制御することにより、払拭ウェブ１１０に掛かるテンションを制御することができる。制御回路１３８は、払拭ウェブ１１０の走行を制御する走行制御手段として機能するとともに、テンション付与手段としても機能する。
【００９７】
［軸支持部の構成］
図６は、押圧ローラの軸部を支持する軸支持部の構成を示す部分断面図でるあ。また、図７は、図６の７−７断面図である。
【００９８】
押圧ローラ１１８は、その両端部に突出した軸部１１８Ａを有する。押圧ローラ１１８は、この軸部１１８Ａを軸支持部１４６（押圧部材支持手段）によって、回転自在かつ上下動自在に支持される。
【００９９】
軸支持部１４６は、一対の軸支持部材１４６Ａを備える。軸支持部材１４６Ａは、水平なステージ１７０の上に垂直に設置される。
【０１００】
一対の軸支持部材１４６Ａは、それぞれ矩形の板形状を有し、それぞれ押圧ローラ１１８の軸と直交して配置される。一対の軸支持部材１４６Ａは、互いに対向する面の頂部近傍にそれぞれ凹部１５４を有する。凹部１５４は、押圧ローラ１１８の軸部１１８Ａの幅（直径）とほぼ同じ幅を有する長方形の溝形状を有し、上下方向（Ｚ方向）に沿って配置される（ヘッド３２のノズル面３３と直交して配置される（図７参照）。）。
【０１０１】
押圧ローラ１１８は、その両端の軸部１１８Ａが、凹部１５４に嵌められて、軸支持部１４６に回転自在かつ上下方向（ノズル面３３と直交する方向）に進退可能に支持される。
【０１０２】
凹部１５４には、それぞれ付勢手段としてのバネ１５６が収容される。軸部１１８Ａは、このバネ１５６によって上方（ノズル面３３に向かう方向）に付勢される。
【０１０３】
このように、押圧ローラ１１８は、両端の軸部１１８Ａが、軸支持部１４６に支持されることにより、上方に付勢されながら上下動自在かつ回転自在に支持される。
【０１０４】
［押圧ローラの当接・離間動作］
上記のように支持された押圧ローラ１１８は、払拭ウェブ１１０に高いテンションを付与すると、バネ１５６の付勢力に抗して下方に移動する。
【０１０５】
押圧ローラ１１８に巻き掛けられる払拭ウェブ１１０のテンションは、押圧ローラ１１８の上流側を走行する払拭ウェブ１１０の走行速度（上流側の送り量）と、押圧ローラ１１８の下流側を走行する払拭ウェブ１１０の走行速度（下流側の送り量）とを制御することにより、調整することができる。
【０１０６】
たとえば、押圧ローラ１１８の下流側の走行速度を押圧ローラ１１８の上流側の走行速度よりも速くすると（押圧ローラ１１８の上流側における払拭ウェブ１１０の送り量を下流側の送り量よりも多くすると）、同じ走行速度のときと比べて、押圧ローラ１１８に巻き掛けられる払拭ウェブ１１０のテンションを高くすることができる。逆に、押圧ローラ１１８の下流側の走行速度を押圧ローラ１１８の上流側の走行速度よりも遅くすると（押圧ローラ１１８の上流側における払拭ウェブ１１０の送り量を下流側の送り量よりも多くすると）、同じ走行速度のときと比べて、押圧ローラ１１８に巻き掛けられる払拭ウェブ１１０のテンションを低くすることができる。
【０１０７】
このように、押圧ローラ１１８の上流側を走行する払拭ウェブ１１０の走行速度（上流側の送り量）と、押圧ローラ１１８の下流側を走行する払拭ウェブ１１０の走行速度（下流側の送り量）とを制御することにより、押圧ローラ１１８に巻き掛けられた払拭ウェブ１１０のテンションを調整することができる。
【０１０８】
そして、この払拭ウェブ１１０のテンションを制御することにより、押圧ローラ１１８の位置を制御することができ、ノズル面３３に対する払拭ウェブ１１０の当接／離間を制御することができる。すなわち、押圧ローラ１１８がノズル面３３に当接しているときよりも、高いテンションを払拭ウェブ１１０にかければ、押圧ローラ１１８をノズル面３３から離間させることができる。
【０１０９】
このためには、押圧ローラ１１８の下流側の払拭ウェブ１１０の走行速度を上流側の走行速度よりも速くすればよい（下流側の送り量を上流側の送り量よりも多くすればよい。）。そして、押圧ローラ１１８の下流側の払拭ウェブ１１０の走行速度を上流側の走行速度よりも速くためには、巻取軸１１６及びフィードローラ１２４の回転速度を速くすればよい。あるいは、供給軸１１４の回転速度を遅くすればよい。これにより、押圧ローラ１１８の下流側の送り量が、上流側の送り量よりも多くなり、押圧ローラ１１８に巻き掛けられる払拭ウェブ１１０のテンションを高めることができる。
【０１１０】
この他、供給軸１１４を停止する、供給軸１１４を逆回転させる等の方法によっても、押圧ローラ１１８に巻き掛けられる払拭ウェブ１１０のテンションを高めることができる。
【０１１１】
［ノズル面払拭装置の作用］
上記のように、本実施形態のノズル面払拭装置１００では、払拭ウェブ１１０に付与するテンションによって、ノズル面３３への押圧ローラ１１８の当接／離間（払拭ウェブ１１０の当接／離間）が制御される。
【０１１２】
具体的には、ノズル面３３に押圧当接している時よりも高いテンションを払拭ウェブ１１０に付与して、押圧ローラ１１８をノズル面３３から離間させる。
【０１１３】
ここで、押圧ローラ１１８をノズル面３３に押圧当接させるときの払拭ウェブ１１０のテンションをＴ１とする。このテンションＴ１は、押圧ローラ１１８を上死点から若干押し下げる程度のテンションに設定される。すなわち、より高いテンションをかけたときに、押圧ローラ１１８を押し下げられる程度の大きさに設定される。
【０１１４】
なお、押圧ローラ１１８の上死点は、軸部１１８Ａが凹部１５４の上端部に当接する位置である。
【０１１５】
また、払拭ウェブ１１０にテンションＴ１をかけたときの押圧ローラ１１８の位置を払拭位置Ｐ１とする。この払拭位置Ｐ１は、画像記録位置とメンテナンス位置との間を移動するヘッド３２のノズル面３３に当接する位置に設定される。
【０１１６】
ノズル面３３を払拭するとき、制御回路１３８は、払拭ウェブ１１０にテンションＴ１がかかるように、供給軸回転駆動モータ１３２と、巻取軸回転駆動モータ１３４と、フィードローラ回転駆動モータ１３６とを駆動し、払拭ウェブ１１０を巻取軸１１６に巻き取る方向に走行させる。
【０１１７】
これにより、図５に示すように、ヘッド３２を移動させると、その移動するヘッド３２のノズル面３３に押圧ローラ１１８に巻き掛けられた払拭ウェブ１１０が押圧当接され、ノズル面３３が払拭ウェブ１１０によって払拭される。
【０１１８】
なお、払拭ウェブ１１０は、走行しながらノズル面３３に押圧当接される。この時の払拭ウェブ１１０の走行方向は、巻取軸１１６に巻き取られる方向である。そして、払拭部における払拭ウェブ１１０の走行方向、すなわち、押圧ローラ１１８に巻き掛けられた部分での払拭ウェブ１１０の走行方向は、ヘッド３２の移動方向に沿う方向であり、ヘッド３２が画像記録位置からメンテナンス位置に向かって移動するときの移動方向と同じ方向である。
【０１１９】
したがって、ヘッド３２をメンテナンス位置から画像記録位置に向けて移動させた場合、払拭ウェブ１１０は、ヘッド３２の移動方向と逆方向に走行しながら、ノズル面３３に押圧当接される。
【０１２０】
一方、ヘッド３２をメンテナンス位置から画像記録位置に向けて移動させた場合、払拭ウェブ１１０は、ヘッド３２の同方向に走行しながら、ノズル面３３に押圧当接される。
【０１２１】
ノズル面３３を払拭しないときは、テンションＴ１よりも高いテンションを払拭ウェブ１１０にかけて、押圧ローラ１１８を押し下げる。これにより、図８に示すように、ヘッド３２のノズル面３３から押圧ローラ１１８を離間させることができる。
【０１２２】
ここで、押圧ローラ１１８を離間させるときの払拭ウェブ１１０のテンションをＴ２とする。このテンションＴ２は、押圧ローラ１１８をノズル面３３に当接させる時のテンションＴ１よりも高く設定され、バネ１５６の付勢力に抗して、押圧ローラ１１８を押し下げることが可能な大きさに設定される。
【０１２３】
制御回路１３８は、払拭ウェブ１１０にテンションＴ２がかかるように、供給軸回転駆動モータ１３２と、巻取軸回転駆動モータ１３４と、フィードローラ回転駆動モータ１３６とを駆動し、払拭ウェブ１１０にテンションＴ２を発生させる。具体的には、巻取軸１１６及びフィードローラ１２４の回転速度を速くすることにより、あるいは、供給軸１１４の回転速度を遅くすることにより、押圧ローラ１１８の下流側の払拭ウェブ１１０の走行速度を上流側の走行速度よりも速くして、払拭ウェブ１１０にテンションＴ２を発生させる。または、供給軸１１４を停止して、あるいは、供給軸１１４を逆回転させて、払拭ウェブ１１０にテンションＴ２を発生させる。
【０１２４】
これにより、押圧ローラ１１８が払拭ウェブ１１０のテンションによって押し下げられ、押圧ローラ１１８がヘッド３２のノズル面３３から離間する。
【０１２５】
押圧ローラ１１８をヘッド３２のノズル面３３から離間させることにより、画像記録位置とメンテナンス位置との間を移動するヘッド３２のノズル面３３に払拭ウェブ１１０が当接するのを防止することができる。すなわち、ノズル面３３を払拭せずにヘッド３２を移動させることができる。
【０１２６】
《ノズル面清掃部によるノズル面の清掃方法》
ノズル面３３の清掃は、ヘッド３２をメンテナンス位置から画像記録位置に向けて移動させることにより行われる。
【０１２７】
ヘッド３２をメンテナンス位置から画像記録位置に向かって移動させると、ヘッド３２は、洗浄液付与ノズル８４とノズル面払拭装置１００との上を通過する。ヘッド３２は、洗浄液付与ノズル８４の上を通過することにより、ノズル面３３に洗浄液が付与され、ノズル面払拭装置１００の上を通過することにより、ノズル面３３が払拭される。
【０１２８】
ヘッド３２の先端（画像記録位置側の端部）が、洗浄液付与ノズル８４の手前まで移動すると、洗浄液供給装置から洗浄液付与ノズル８４に洗浄液が供給される。これにより、洗浄液保持面８５上に洗浄液が供給される。ヘッド３２は、この洗浄液保持面８５の上を通過し、その通過時に洗浄液保持面８５の上に保持された洗浄液にノズル面３３が接触する。これにより、ヘッド３２のノズル面３３に洗浄液が付与される。
【０１２９】
ノズル面３３が洗浄液保持面８５の上を通過し終えると、洗浄液の供給が停止される。
【０１３０】
洗浄液付与ノズル８４の上を通過したヘッド３２は、次いで、ノズル面払拭装置１００の上を通過する。
【０１３１】
ヘッド３２の先端（画像記録位置側の端部）が、ノズル面払拭装置１００の手前まで移動すると、供給軸回転駆動モータ１３２、巻取軸回転駆動モータ１３４及び、フィードローラ回転駆動モータ１３６が駆動され、払拭ウェブ１１０が走行を開始する。このとき、払拭ウェブ１１０は、巻取軸１１６に巻き取られる方向に走行し、かつ、テンションＴ１が掛けられて走行する。
【０１３２】
ヘッド３２は、ノズル面払拭装置１００の上を通過する際、ヘッド３２のノズル面３３に押圧ローラ１１８を介して払拭ウェブ１１０が押圧当接される。これにより、ノズル面３３が払拭される。
【０１３３】
ノズル面３３がノズル面払拭装置１００の上を通過し終えると、払拭ウェブ１１０の走行が停止される。
【０１３４】
以上の一連の工程でノズル面３３の清掃が完了する。
【０１３５】
さて、上記のように、ノズル面３３の清掃は、ヘッド３２をメンテナンス位置から画像記録位置に向けて移動させることにより行われる。したがって、ヘッド３２が画像記録位置からメンテナンス位置に移動するときは、払拭ウェブ１１０がノズル面３３に当接しないように、押圧ローラ１１８を退避させておく必要がある。
【０１３６】
押圧ローラ１１８を退避させる場合、制御回路１３８は、供給軸回転駆動モータ１３２、巻取軸回転駆動モータ１３４及び、フィードローラ回転駆動モータ１３６の駆動を制御して、払拭ウェブ１１０にテンションＴ２を掛ける。たとえば、供給軸１１４の回転を停止させて、フィードローラ１２４及び巻取軸１１６を所定量回転させ、払拭ウェブ１１０にテンションＴ２を掛ける。すなわち、押圧ローラ１１８の上流側で払拭ウェブ１１０の送りを止めた状態で払拭ウェブ１１０を所定量巻き取ることにより、払拭ウェブ１１０にテンションＴ２を発生させる。これにより、押圧ローラ１１８が押し下げられ、ノズル面３３に払拭ウェブ１１０を当接させることなく、ヘッド３２を画像記録位置からメンテナンス位置に向けて移動させることができる。
【０１３７】
このように、本実施形態のノズル面払拭装置１００によれば、払拭ウェブ１１０に付与するテンションを制御することにより、ノズル面３３への払拭ウェブ１１０の当接／離間を切り替えることができる。これにより、大掛かりな機構を設けなくても、払拭の有無を切り替えることができる。
【０１３８】
なお、上記実施形態では、ヘッド３２がメンテナンス位置から画像記録位置に移動するときにだけ、ノズル面３３の清掃を実施する構成としているが、ヘッド３２が画像記録位置からメンテナンス位置に移動するときもノズル面の清掃を実施することができる。この場合、洗浄液の付与は行わずにノズル面の清掃が行われる。なお、この場合、払拭ウェブ１１０を走行させながらノズル面３３に押し当てる構成とすることもできるし、また、払拭ウェブ１１０を走行させずにノズル面３３に押し当てることもできる。払拭ウェブ１１０を走行させずにノズル面３３に押し当てる場合は、供給軸１１４の回転を停止させることが好ましい。これにより、払拭ウェブ１１０が引き出されるのを防止することができる。
【０１３９】
〔第２実施形態〕
図９は、ノズル面払拭装置の第２実施形態の概略構成図である。
【０１４０】
同図に示すノズル面払拭装置３００は、供給軸１１４をロックする、すなわち、供給軸１１４の回転を停止することで、押圧ローラ１１８を図中の下方に移動させている。供給軸１１４の回転を停止することで、巻取軸１１６、フィードローラ１２４のみを駆動させるため、押圧ローラ１１８に対して、払拭ウェブ１１０の走行方向下流側が引っ張られることになる。したがって、払拭ウェブ１１０にテンションを付与することができ、押圧ローラ１１８を下方に移動させることができる。
【０１４１】
供給軸１１４にロックをかける方法としては、図９に示すように、複数のギア（ギア列１８８）を用いて、供給軸１１４を固定することで行うことができる。具体的には、供給軸１１４に第１ギア１９０が取り付けられている。この第１ギア１９０には、ケース１１２に備えられた第２ギア１９２が噛み合わされている。また、この第２ギア１９２には、ケース１１２に備えられた第３ギア１９４（回転ギア（回転部材））が噛み合わされている。第３ギア１９４（回転ギア）に固定ギア１９６（制動部材）が噛み合わされることで、供給軸１１４がロックされる。
【０１４２】
固定ギア１９６は、回転不能であり、進退駆動手段としてのソレノイドアクチュエータ（以下、「ソレノイド」ともいう）１９８により上下させることができる。固定ギア１９６には、ソレノイド１９８の可動部１９８Ａが接続されている。また、固定ギア１９６は、支持部材２０４で支点２０２を軸に移動可能に保持されている。
【０１４３】
ソレノイド１９８を駆動して可動部１９８Ａを延伸させると、固定ギア１９６が支点２０２を軸として、図の上方に押し上げられる（図９）。固定ギア１９６が、図の上方に押し上げられると、固定ギア１９６と第３ギア１９４とが噛み合わされ第３ギア１９４が固定される。第３ギア１９４が固定されると、第２ギア１９２、さらに、第１ギア１９０が固定され、供給軸１１４の回転が停止する。
【０１４４】
ソレノイド１９８の駆動を停止すると、可動部１９８Ａが収容され、固定ギア１９６が図の下方に上げられ、第３ギアとの噛み合わせが外れるため、第１ギア１９０が回転可能となる。
【０１４５】
第１実施形態においては、供給軸１１４、巻取軸１１６、フィードローラ１２４の各ローラを駆動させているが、第２実施形態においては、供給軸１１４を駆動させずに、巻取軸１１６及びフィードローラ１２４のみを駆動させ、供給軸１１４は払拭ウェブ１１０の走行に従動して回転する構成とすることもできる。
【０１４６】
このように、供給軸１１４をロックし、かつ、巻取軸１１６及びフィードローラ１２４を停止させることで、払拭ウェブ１１０に所定のテンションを付与した状態で固定することができる。したがって、ヘッド３２を払拭ウェブ１１０の走行方向と同方向に移動させながら払拭を行っても払拭ウェブ１１０が弛むなどの不都合が生じないため、ヘッド３２のノズル面３３を上述した方向と逆方向である、画像記録位置からメンテナンス位置に移動する際にノズル面３３の払拭を行うことができる。画像記録位置からメンテナンス位置への移動の際に払拭を行う場合とは、ノズル面の払拭の仕上げ拭きを行う場合などが挙げられる。
【０１４７】
このようなノズル面３３の払拭は、上述した洗浄液付与ノズル８４からノズル面３３に洗浄液を付与した後、ヘッド３２及び払拭ウェブ１１０を相対移動させながら払拭を行った後の仕上げの払拭として行うことができる。また、この場合、テンションをかけすぎると、押圧ローラ１１８は下方に移動してしまい、ノズル面３３と接触しないため、巻取軸１１６及びフィードローラ１２４の力を適宜調整する必要がある。
【０１４８】
上記で説明したように、払拭ウェブ１１０にテンションをかけ、押圧ローラ１１８のみを上下させる構成とすることで、移動する箇所は押圧ローラのみとすることができ、小さな駆動力で押圧ローラ１１８を移動させることができるので、フィードローラの駆動アクチュエータ（モーターなど）を小型化することができる。
【０１４９】
また、押圧ローラ１１８を上下に移動させるのみで、ヘッドは上下移動しないため、ノズルメニスカスの安定した状態を保つことができる。さらに、ヘッド及びノズル面払拭装置を上下移動させず、一定の距離を保っているので、誤動作時にヘッドとノズル面清掃層とが衝突して損傷することを防止することができる。押圧ローラ１１８は弾性支持されているため、ヘッドとの衝突時においても押圧ローラ１１８は自然に沈み込むため、ヘッドと押圧ローラ１１８とが衝突することで、損傷する危険性を低減することができる。
【０１５０】
図１０は、洗浄モードの工程を示すフローチャート図である。洗浄モードが開始すると、まず、ノズル面３３の払拭を行うかの判断を行う（ステップＳ１１）。ノズル面３３の払拭を行う場合（Ｙｅｓ判定）は、巻取軸１１６、フィードローラ１２４を駆動させて、払拭ウェブ１１０の搬送を開始する（ステップＳ１２−１）。
【０１５１】
ノズル面３３の払拭を行わない場合（Ｎｏ判定）は、供給軸１１４をロックし（ステップＳ１２−２）、巻取軸１１６、フィードローラ１２４を駆動させ、払拭ウェブ１１０を巻取軸１１６で一定量巻き取る（ステップＳ１２−３）。払拭ウェブ１１０を巻取軸１１６で巻き取ることにより、払拭ウェブ１１０にテンションを付与することができ、押圧ローラ１１８を下方（ヘッドのノズル面と反対側）に移動させることができる。
【０１５２】
次に、洗浄液をノズル面に付与するか否かの判断を行う（ステップＳ１３）。洗浄液をノズル面に付与する場合は、洗浄液付与供給装置の洗浄液バルブ（不図示）を開く（ステップＳ１４）。
【０１５３】
次に、ヘッド３２の移動を開始する（ステップＳ１５）。ヘッド３２の移動はメンテナンス位置から画像記録位置に移動する際にノズル面の清掃が行われる。
【０１５４】
ヘッドが移動することにより、ステップＳ１３で洗浄液を付与すると判定した場合は、洗浄液付与ノズル８４から、順次、ノズル面３３に洗浄液が付与される。また、ステップＳ１１で、払拭ウェブ１１０で払拭を行うと判定した場合は、払拭ウェブ１１０の搬送が行われ、ノズル面３３を新しい払拭ウェブ１１０で常に払拭することができる。
【０１５５】
また、ステップＳ１１で払拭を行う（Ｙｅｓ判定）、ステップＳ１３で洗浄液を付与しない（Ｎｏ判定）、と判定した場合は、洗浄液をノズル面３３に付与せず、払拭ウェブ１１０のみでノズル面３３の払拭を行う。
【０１５６】
ステップＳ１１で払拭を行わない（Ｎｏ判定）、ステップＳ１３で洗浄液を付与する（Ｙｅｓ判定）、と判定した場合は、洗浄液付与ノズル８４により、ノズル面３３に洗浄液の付与のみを行う。また、ステップＳ１１で払拭を行わない（Ｎｏ判定）、ステップＳ１３で洗浄液を付与しない（Ｎｏ判定）、とした場合は、特にノズル面の洗浄は行わず、ヘッド３２をメンテナンス位置から画像記録位置に移動する。
【０１５７】
ノズル面の清掃が終了したら、ヘッドの搬送を停止し（ステップＳ１６）、洗浄液供給装置の洗浄液バルブを閉じ（ステップＳ１７）、払拭ウェブ１１０の搬送を停止する（ステップＳ１８）。
【０１５８】
次に、ステップＳ１５のヘッドの移動方向と逆の方向、すなわち、画像記録位置からメンテナンス位置に移動する方向払拭を行うかの判断を行う（ステップＳ１９）。画像記録位置からメンテナンス位置に移動させる際に、ノズル面の払拭を行うことで、ステップＳ１５で行った払拭動作により残った洗浄液の除去など、仕上げの払拭を行うことができる。
【０１５９】
ステップＳ１９で、ヘッドを逆方向から払拭する（Ｙｅｓ判定）と判定した場合は、供給軸１１４をロックし（ステップＳ２０）、ヘッド３２の移動を開始する（ステップＳ２１）ことで、ノズル面３３の払拭を行ない、払拭後、洗浄モードが終了する。ステップＳ１９でヘッドを逆方向に移動させながら払拭することで、ステップＳ１１からステップＳ１６においてノズル面の払拭を行った後の仕上げの払拭として行うことができる。
【０１６０】
また、ステップＳ１１でノズル面の払拭を行わない（Ｎｏ判定）と判定した場合は、テンションを開放し、押圧ローラ１１８をテンションを付与しない状態に戻した後、供給軸１１４をロックすることで、逆方向から払拭することができる。ヘッドを逆方向から払拭しない（Ｎｏ判定）と判定した場合は、洗浄モードが終了する。
【０１６１】
なお、図９においては、供給軸をロックする構成で説明したが、ステップＳ１１からステップＳ１８については、払拭ウェブ１１０の走行速度差を利用して、払拭ウェブ１１０にテンションを付与し、押圧ローラを下方に移動することで実施することもできる。
【０１６２】
また、ヘッドは、図４に示すヘッドモジュールを長手方向（ヘッドの画像記録位置とメンテナンス位置との移動方向）に沿ってつなぎ合わせた構造を有している。ヘッドのノズル面の洗浄は、全モジュールに対して洗浄を実施することもできるし、各モジュール毎に洗浄を実施の有無を判断することもできる。
【０１６３】
〔第３実施形態〕
《装置構成》
図１１、図１２は、それぞれノズル面払拭装置の第３実施形態の概略構成を示す正面断面図、背面図である。図１３、図１４は、それぞれ第３実施形態のノズル面払拭装置の動作説明図である。
【０１６４】
本実施形態のノズル面払拭装置４００は、払拭ウェブ１１０を収容したケース１１２が、装置本体４０２に着脱自在に設けられている。装置本体４０２には、払拭ウェブ１１０の走行の駆動源、及び、払拭ウェブ１１０の走行を制動するための制動手段が備えられ、ケース１１２を装置本体４０２に装着すると、払拭ウェブ１１０の駆動、及び、制動が可能になる。
【０１６５】
また、本実施形態のノズル面払拭装置４００は、巻取軸１１６とフィードローラ１２４とを回転駆動して、払拭ウェブ１１０を走行させる構成とされている（供給軸１１４は回転駆動しない構成とされている。）。
【０１６６】
さらに、本実施形態のノズル面払拭装置４００は、供給軸１１４の回転を制動して、払拭ウェブ１１０にテンションを付与し、かつ、払拭ウェブ１１０の走行を停止する構成とされている。
【０１６７】
なお、上述した第１及び第２実施形態のノズル面払拭装置１００、３００と同じ機能を有する部材については、同じ符号を付して、その説明は省略する。
【０１６８】
ケース１１２は、箱形状を有し、その内部に払拭ウェブ１１０を収容する。ケース１１２は、正面部に蓋（不図示）を有する。払拭ウェブ１１０は、この蓋を開けて、ケース１１２内に装填する。
【０１６９】
装置本体４０２は、ケース１１２を収容する収容部４０２Ａを有する。ケース１１２は、この収容部４０２Ａに収容されて、装置本体４０２に装着される。収容部４０２Ａは、上部に開口部を有する。図１３に示すように、ケース１１２は、この開口部に垂直に差し込むことにより、収容部４０２Ａに収容される。収容部４０２Ａは、図示しない位置決め部材を備えている。ケース１１２は、開口部に差し込まれると、この位置決め部材によって所定位置に位置決めされて収容部４０２Ａに収容される（たとえば、ケース１１２の外周部に位置決め部材が当接することによって所定位置に位置決めされる。）。
【０１７０】
上記のように、本実施形態のノズル面払拭装置４００は、装置本体４０２に払拭ウェブ１１０の駆動源、及び、制動手段が備えられる。このため、ケース１１２には、供給軸１１４、巻取軸１１６、押圧ローラ１１８、前段ガイド部１２０、後段ガイド部１２２、フィードローラ１２４等の払拭ウェブ１１０の走行をガイドする機構のみが備えられる。
【０１７１】
払拭ウェブ１１０の走行の駆動源（払拭ウェブ走行駆動手段の駆動源）は、モータ４０４で構成され、このモータ４０４によって、巻取軸１１６とフィードローラ１２４とを回転駆動する。すなわち、本実施形態のノズル面払拭装置４００では、払拭ウェブ走行駆動手段が、モータ４０４と、巻取軸１１６と、フィードローラ１２４とで構成される。
【０１７２】
また、払拭ウェブ１１０の制動手段は、制動部材としての固定ギア（制動部材）１９６と、その固定ギア１９６を噛合／離脱させるためのソレノイド（ソレノイドアクチュエータ）１９８とで構成される。
【０１７３】
モータ４０４は、収容部４０２Ａ内に配置される。モータ４０４は、その出力軸に駆動ギア４０６を備えている。モータ４０４を駆動すると、この駆動ギア４０６が回転する。
【０１７４】
ケース１１２は、駆動ギア４０６に噛み合う従動ギア４０８を備えている。ケース１１２を装置本体４０２に装着すると、従動ギア４０８が駆動ギア４０６に噛み合う。
【０１７５】
巻取軸１１６は、従動ギア４０８に噛み合う巻取ギア４１０を備えている。また、フィードローラ１２４は、従動ギア４０８に噛み合うフィードギア４１２を備えている。従動ギア４０８を回転させると、巻取軸１１６とフィードギア４１２とが同時に回転する。
【０１７６】
ケース１１２を装置本体４０２に装着すると、従動ギア４０８が駆動ギア４０６に噛み合う。モータ４０４によって駆動ギア４０６を回転させると、その回転が従動ギア４０８に伝達される。そして、この従動ギア４０８が回転することにより、巻取ギア４１０とフィードギア４１２とが同時に回転し、巻取軸１１６とフィードギア４１２とが同時に回転する。
【０１７７】
モータ４０４は、走行制御手段としての制御回路（不図示）によって、その駆動が制御される。
【０１７８】
上記のように、本実施形態のノズル面払拭装置４００は、巻取軸１１６とフィードローラ１２４とを回転駆動して、払拭ウェブ１１０を走行させる。このため、供給軸１１４は、回転可能に支持されるだけで、その駆動手段は備えられない。
【０１７９】
供給軸１１４は、ケース１１２に回転可能に支持されるが、その回転抵抗が低すぎると、払拭ウェブ１１０を巻き取ったときに必要以上に払拭ウェブ１１０が引き出されてしまい、払拭ウェブ１１０に弛み等が発生してしまう。このため、供給軸１１４には、フリクション機構（不図示）によって、回転に一定の負荷が掛けられる。フリクション機構は、たとえば、供給軸１１４に摩擦部材を押圧当接させて、供給軸１１４の回転に一定の抵抗を付与する。これにより、一定以上のテンションを掛けて払拭ウェブ１１０を巻き取らないと、払拭ウェブ１１０を供給軸１１４から引き出せなくなり、弛み等の発生が防止される。
【０１８０】
進退駆動手段としてのソレノイド１９８は、収容部４０２Ａ内に配置される。ソレノイド１９８は、進退移動する可動部１９８Ａを備える。ソレノイド１９８は、ＯＮ（通電）すると可動部１９８Ａが突出し、ＯＦＦ（通電停止）すると、可動部１９８Ａが退避する。
【０１８１】
制動部材としての固定ギア１９６は、ソレノイド１９８の可動部１９８Ａに回転不能に取り付けられる。固定ギア１９６は、ソレノイド１９８をＯＮすると、突出して「噛合位置」に移動し（図１２参照）、ソレノイド１９８をＯＦＦすると、退避して「離脱位置」に移動する（図１４参照）。
【０１８２】
ソレノイド１９８は、走行制御手段としての制御回路（不図示）によって、その駆動（通電によるＯＮ／ＯＦＦ）が制御される。
【０１８３】
供給軸１１４は、ケース１１２に備えられたギア列１８８に固定ギア１９６を噛み合わせることにより、回転が制動される（ロックされる。）。
【０１８４】
ギア列１８８は、第１ギア１９０と、第２ギア１９２と、第３ギア１９４と備え、供給軸１１４の回転に連動して回転する。第１ギア１９０は、供給軸１１４に取り付けられる。第２ギア１９２は、ケース１１２に回転自在に設けられる。第２ギア１９２は、第１ギア１９０に噛み合わされる。第３ギア（回転部材）１９４は、ケース１１２に回転自在に設けられる。第３ギア１９４は、第２ギア１９２に噛み合わされる。
【０１８５】
固定ギア１９６は、第３ギア１９４に噛み合わされる。第３ギア１９４に固定ギア１９６が噛み合わされると、第３ギア１９４が回転不能にロックされる。そして、この第３ギア１９４が回転不能にロックされることにより、第２ギア１９２と第１ギア１９０とが同時に回転不能にロックされ、供給軸１１４が回転不能にロックされる。
【０１８６】
図１２に示すように、ケース１１２が、装置本体４０２に装着されると、ケース１１２に備えられた第３ギア１９４は、装置本体４０２上の所定位置に配置される。
【０１８７】
上記のように、固定ギア１９６は、ソレノイド１９８に駆動されて、「噛合位置」と「離脱位置」との間を進退移動する。図１２に示すように、ケース１１２が装置本体４０２に装着された状態で固定ギア１９６を噛合位置に移動させると、固定ギア１９６が装置本体４０２上の所定位置に位置した第３ギア１９４に噛み合う。また、図１４に示すように、ケース１１２が装置本体４０２に装着された状態で固定ギア１９６を離脱位置に移動させると、装置本体４０２上の所定位置に位置した第３ギア１９４と固定ギア１９６との噛み合いが解除される。
【０１８８】
すなわち、ケース１１２を装置本体４０２に装着した状態でソレノイド１９８をＯＮすると、供給軸１１４を回転不能にロックでき、ソレノイド１９８をＯＦＦすると、ロックを解除することができる。
【０１８９】
装置本体４０２には、更に、ニップローラ２００と、廃液受け４２０とが備えられる。
【０１９０】
ニップローラ２００は、ケース１１２が装置本体４０２に装着されると、ケース１１２に備えられたフィードローラ１２４に当接される。ニップローラ２００は、フィードローラ１２４に所定の押圧力をもって当接するように、フィードローラ１２４に向けてバネ（不図示）で付勢される。
【０１９１】
廃液受け４２０は、ニップローラ２００とフィードローラ１２４とによってニップされることによって、払拭ウェブ１１０から除去された液体を回収する。ニップローラ２００は、この廃液受け４２０の内側に配置される。
【０１９２】
《作用》
〈基本動作〉
上記のように、本実施形態のノズル面払拭装置４００は、払拭ウェブ１１０を収容したケース１１２が、装置本体４０２に着脱自在に設けられている。
【０１９３】
図１２、図１３に示すように、ケース１１２は、装置本体４０２の収容部４０２Ａに差し込むことにより、装置本体４０２に位置決めされて装着される。
【０１９４】
ケース１１２が装置本体４０２に装着されると、ケース１１２に備えられた従動ギア４０８に駆動ギア４０６が噛み合わされる。これにより、巻取軸１１６とフィードローラ１２４との回転駆動が可能になる。
【０１９５】
また、ケース１１２に備えられたフィードローラ１２４にニップローラ２００が押圧当接され、フィードローラ１２４に巻き掛けられた払拭ウェブ１１０がニップローラ２００によってニップされる。
【０１９６】
また、ケース１１２が装置本体４０２に装着されると、供給軸１１４の制動が可能になる。すなわち、ソレノイド１９８を作動（ソレノイド１９８をＯＮにする）させる、供給軸１１４を回転不能にロックすることができる。
【０１９７】
〈当接／離間動作〉
上記のように、押圧ローラ１１８に巻き掛けられた払拭ウェブ１１０のテンションを制御することにより、ノズル面３３に対する押圧ローラ１１８の当接／離間を制御することができる。
【０１９８】
離間時は、当接時よりも強いテンションを払拭ウェブ１１０に付与する。具体的には、まず、供給軸１１４をロックする。次いで、巻取軸１１６とフィードローラ１２４とを回転駆動して、巻取軸１１６に払拭ウェブ１１０を一定量巻き取る。これにより、払拭ウェブ１１０に強いテンションが掛けられ、バネの付勢力に抗して、押圧ローラ１１８が押し下げられる。
【０１９９】
供給軸１１４をソレノイド１９８をＯＮすることによりロックされる。ソレノイド１９８をＯＮすると、図１３に示すように、固定ギア１９６が噛合位置に移動し、第３ギア１９４に噛み合わされる。これにより、供給軸１１４が回転不能にロックされる。
【０２００】
巻取軸１１６とフィードローラ１２４とは、モータ４０４を駆動することにより、同時に回転駆動される。
【０２０１】
このように、押圧ローラ１１８をノズル面３３に当接させないようにするためには、供給軸１１４をロックした状態で払拭ウェブ１１０を一定量巻き取る。これにより、払拭ウェブ１１０のテンションによって押圧ローラ１１８が押し下げられ、ノズル面３３に接触しない位置に退避する。
【０２０２】
再び押圧ローラ１１８をノズル面３３に当接させる場合は、供給軸１１４のロックを解除する。すなわち、ソレノイド１９８をＯＦＦする。ソレノイド１９８がＯＦＦされると、固定ギア１９６が離脱位置に移動し、固定ギア１９６と第３ギア１９４との噛み合いが解除される。これにより、供給軸１１４が回転可能に支持され、払拭ウェブ１１０にかけられていたテンションが開放される。そして、このテンションが開放されることにより、バネの力で押圧ローラ１１８が押し上げられ、押圧ローラ１１８がノズル面３３に当接可能な位置に移動する。
【０２０３】
このように、供給軸１１４のロック／アンロックを制御するとともに、払拭ウェブ１１０の巻き取りを制御することより、ノズル面３３に対する押圧ローラ１１８の当接／離間を制御することができる。これにより、ヘッド３２を移動させたときの払拭の有無を切り替えることができる。
【０２０４】
〈払拭〉
本実施形態のノズル面払拭装置４００では、押圧ローラ１１８が回転可能に支持されているが、押圧ローラ１１８の上流側で払拭ウェブ１１０の走行を制動できるため、ヘッド３２をいずれの方向に移動させた場合であっても、ノズル面３３を払拭することができる。
【０２０５】
すなわち、たとえば、本実施形態のノズル面払拭装置４００のように、払拭ウェブ１１０の制動手段が備えられていない場合、押圧ローラ１１８に巻き掛けられた払拭ウェブ１１０の走行方向が、ヘッド３２の移動方向と同じになると、払拭ウェブ１１０が供給軸１１４から強制的に引き出されてしまい、払拭ウェブ１１０に弛み等が発生する。
【０２０６】
しかし、払拭ウェブ１１０を押圧ローラ１１８の上流側で止めておけば、払拭ウェブ１１０の走行方向が、ヘッド３２の移動方向と同じになった場合であっても、払拭ウェブ１１０が供給軸１１４から引き出されるのを防止することができる。
【０２０７】
本実施形態のノズル面払拭装置４００では、巻取軸１１６で払拭ウェブ１１０を巻き取ると、押圧ローラ１１８に巻き掛けられた払拭ウェブ１１０は、画像記録位置からメンテナンス位置に向かって移動するヘッド３２の移動方向と同じ方向に走行する。したがって、ヘッド３２が、画像記録位置からメンテナンス位置に向かって移動するときは、供給軸１１４の回転をロックする。これにより、払拭ウェブ１１０が供給軸１１４から強制的に引き出されるのを防止できる。なお、このとき巻取軸１１６とフィードローラ１２４とを回転駆動すると、払拭ウェブ１１０にテンションが掛けられて、押圧ローラ１１８が押し下げられてしまうので、巻取軸１１６とフィードローラ１２４とは回転駆動しないで、払拭ウェブ１１０をノズル面３３に押圧当接させる。
【０２０８】
以下、ヘッド３２がメンテナンス位置から画像記録位置に向かって移動する場合と、ヘッド３２が画像記録位置からメンテナンス位置に向かって移動する場合とに分けて、払拭動作を説明する。
【０２０９】
［メンテナンス位置→画像記録位置］
ヘッド３２がメンテナンス位置から画像記録位置に向かって移動するときは、払拭ウェブ１１０を走行させながら、払拭ウェブ１１０をノズル面３３に押圧当接させる。
【０２１０】
この場合、ソレノイド１９８はＯＦＦにして、モータ４０４を駆動する。モータ４０４を駆動すると、巻取軸１１６とフィードローラ１２４とが回転駆動され、払拭ウェブ１１０が巻取軸１１６に巻き取られる。これにより、押圧ローラ１１８に巻き掛けられた払拭ウェブが、画像記録位置からメンテナンス位置に向かう方向に走行する。この方向は、ヘッド３２の移動方向と逆方向である。
【０２１１】
ヘッド３２は、この逆方向に走行する払拭ウェブ１１０がノズル面３３に押し当てられて、ノズル面３３が払拭される。
【０２１２】
［画像記録位置→メンテナンス位置］
ヘッド３２が画像記録位置からメンテナンス位置に向かって移動するときは、供給軸１１４の回転をロックして、払拭ウェブ１１０をノズル面３３に押圧当接させる。このとき、モータ４０４は駆動しない。ノズル面３３には、停止した払拭ウェブ１１０が押圧当接されるが、供給軸１１４の回転がロックされているため、供給軸１１４から払拭ウェブ１１０がひきだされることはない。
【０２１３】
このように、本実施形態のノズル面払拭装置４００によれば、ヘッド３２がメンテナンス位置から画像記録位置に向かって移動するときと、画像記録位置からメンテナンス位置に向かって移動するときの双方でノズル面３３を払拭することができる。そして、このように二方向からノズル面３３を払拭することにより、ノズルＮの吐出口の内側（内周縁）に付着する異物を効果的に除去することができる。すなわち、一方向にのみ払拭していると、その払拭方向の上流側（ヘッド３２の移動方向の下流側）に徐々に異物が堆積するという問題が生じるが、双方向で払拭することにより、このような問題を解消することができる。
【０２１４】
なお、ヘッド３２がメンテナンス位置から画像記録位置に向かって移動するときの払拭を「順方向払拭」、ヘッド３２が画像記録位置からメンテナンス位置に向かって移動するときの払拭を「逆方向払拭」とすると、その組み合わせは任意に設定することができる。すなわち、順方向払拭のみを実施してもよいし、また、逆方向払拭のみを実施してもよい。また、順方向払拭と逆方向払拭との組み合わせを複数回実施してもよいし、順方向払拭を複数回実施した後、最後に逆方向払拭を実施するようにしてもよい。
【０２１５】
一般に払拭ウェブ１１０の走行方向が逆になる順方向払拭は、払拭ウェブ１１０を停止させた状態で払拭する逆方向払拭よりも高い清掃能力を有するので、ノズル面３３の汚れの程度に応じて、順方向払拭と逆方向払拭とを切り替えるようにしてもよい。
【０２１６】
たとえば、ノズル面３３の汚れが多いとき（＝印字枚数が多いとき）は、払拭性能の高い（＝ウエブの使用量の多い）順方向払拭を実施し、ノズル面３３の汚れが少ないときは、逆方向払拭と使い分けることも可能である。
【０２１７】
また、ヘッド３２の吐出性能が劣化してきた際に、逆方向払拭を加えた往復払拭を複数回行うようにしてもよい。
【０２１８】
また、順方向払拭と逆方向払拭とを交互に実施するようにしてもよい。
【０２１９】
〔第３実施形態の変形例〕
上記実施形態では、払拭ウェブ１１０を巻取軸１１６に巻き取るために、巻取軸１１６とフィードローラ１２４とを回転駆動する構成としているが、巻取軸１１６のみを回転駆動する構成とすることもできる。
【０２２０】
また、フィードローラ１２４とニップローラ２００とは、ノズル面払拭装置の構成から省くことができる。この場合、巻取軸１１６のみが回転駆動される。
【０２２１】
また、上記実施形態では、供給軸１１４の回転を制動することにより、押圧ローラ１１８の上流側で払拭ウェブ１１０の走行を制動する構成としているが、払拭ウェブ１１０の走行を制動する手段は、これに限定されるものではない。たとえば、図１５に示すように、供給軸１１４から繰り出された払拭ウェブ１１０をガイドするガイドローラ１２０Ａとの間で払拭ウェブ１１０を強固にニップして、払拭ウェブ１１０の走行を止める構成とすることもできる。同図に示す例では、ガイドローラ１２０Ａとの間で払拭ウェブ１１０をニップして制動する制動ローラ４３０を装置本体４０２に備え、その制動ローラ４３０をソレノイドアクチュエータ４３２でガイドローラ１２０Ａに向けて進退移動させる構成としている。制動ローラ４３０は、ソレノイドアクチュエータ４３２をＯＮすると、ガイドローラ１２０Ａに押圧当接されて、ガイドローラ１２０Ａに巻き掛けられた払拭ウェブ１１０をニップする。また、ソレノイドアクチュエータ４３２をＯＦＦすると、ガイドローラ１２０Ａから離間し、払拭ウェブ１１０のロックを解除する。
【０２２２】
この他、供給軸１１４（又は、供給軸１１４に取り付けた回転部材（回転ディスク等））に摩擦部材（ゴムなどの摩擦の多い部材）を押圧当接させて、供給軸１１４の回転を制動する構成とすることもできる。
【０２２３】
〔その他の実施形態〕
上記各実施形態のノズル面払拭装置のように、供給軸１１４から巻取軸１１６に払拭ウェブ１１０を巻き取る構成のノズル面払拭装置では、供給軸１１４の回転を監視することによって、払拭ウェブ１１０の走行異常を検出することができる。すなわち、払拭ウェブ１１０を走行させれば、必ず供給軸１１４が回転するので、払拭ウェブ走行駆動手段を駆動しているのに、供給軸１１４が回転していない場合は異常と判断することができる。また、払拭ウェブ走行駆動手段を駆動していないのに、供給軸１１４が回転している場合も異常と判断することができる。
【０２２４】
図１６は、供給軸の回転検出機能を備えたノズル面払拭装置の概略構成を示す背面図である。
【０２２５】
なお、供給軸の回転検出機能を有する以外は、上述した第３実施形態のノズル面払拭装置４００と同じである。
【０２２６】
本例では、回転検出手段としてロータリーエンコーダ５００で供給軸１１４の回転を検出する構成としている。
【０２２７】
ロータリーエンコーダ５００は、主として、回転ディスク５０２と、検出器５０４とで構成される。
【０２２８】
回転ディスク５０２は、外周部に一定の間隔でスリット５０６を有する。回転ディスク５０２は、供給軸１１４に取り付けられる。
【０２２９】
検出器５０４は、装置本体４０２に備えられる。検出器５０４は、投光部（不図示）と、その投光部から投光される光を受光する受光部（受光部）とを有する。投光部と受光部とは、一定の間隔をもって互いに対向して配置される。ケース１１２が装置本体４０２に装着されると、この投光部と受光部との間に回転ディスク５０２が配置される。
【０２３０】
供給軸１１４が回転すると、回転ディスク５０２が回転する。回転ディスク５０２が回転すると、投光部から投光された光は、スリット１ピッチ毎に光路を遮られ、回転量に比例した回数の明暗を繰り返す。検出器５０４は、この明暗を受光部で電気信号として取り出し、波形整形をして矩形波として出力する。
【０２３１】
制御回路（不図示）は、ロータリーエンコーダ５００からの出力に基づいて、払拭ウェブ１１０の走行異常を検出する。
【０２３２】
すなわち、稼働中のように、モータ４０４に対して駆動信号を出力しているのに、供給軸１１４が回転していない場合は、払拭ウェブ１１０が走行していないと判断できるので、払拭ウェブ１１０の走行異常と判断する。
【０２３３】
一方、駆動停止中のように、モータ４０４に対して駆動信号を出力していないのに、供給軸１１４が回転している場合や、ソレノイド１９８を作動（ＯＮ）させているのに、供給軸１１４が回転している場合は、払拭ウェブ１１０が走行していると判断できるので、払拭ウェブ１１０の走行異常と判断する。
【０２３４】
このように、供給軸１１４の回転を監視することによって、払拭ウェブ１１０の走行異常を検出することができる。
【０２３５】
なお、払拭ウェブ１１０の走行異常を検出した場合には、警告処理を行うことが好ましい。警告処理としては、たとえば、警告手段として警報機が備えられている場合は、その警報機を鳴らす、警告手段として警告灯が備えられている場合は、その警告灯を点灯させる、警告手段としてモニタが備えられている場合は、モニタに警告メッセージを表示させる、等の処理が行われる。
【０２３６】
上記各実施形態のノズル面払拭装置では、ノズル面払拭装置を固定とし、ヘッド側を移動させて、ノズル面を払拭する構成としているが、ヘッドを固定とし、ノズル面払拭装置側をノズル面に沿って移動させて、ノズル面を払拭する構成とすることもできる。また、ノズル面払拭装置とヘッドの双方を移動させて、ノズル面を払拭する構成とすることもできる。すなわち、ヘッドとノズル面払拭装置とは相対的に移動できる構成であればよい。
【０２３７】
また、上記実施形態のノズル面払拭装置では、払拭ウェブの制動手段を備えることにより、払拭ウェブをノズル面に当接／離間させる機能と、二方向からの払拭を可能にする機能とを実現しているが、いずれか一方の機能のみを実現させることもできる。すなわち、払拭ウェブをノズル面に当接／離間させためだけに、払拭ウェブの制動手段を利用してもよいし、また、二方向からの払拭を可能にするためだけに、払拭ウェブの制動手段を利用してもよい。
【０２３８】
二方向からの払拭を可能にするためだけに、払拭ウェブの制動手段を利用する場合は、払拭ウェブをノズル面に当接／離間させための手段を別途用意する。この場合、ヘッドを進退移動（上記実施形態のノズル面払拭装置では上下動）させて、ノズル面に払拭ウェブを当接／離間させるようにしてもよいし、また、ノズル面払拭装置全体を進退移動（上記実施形態のノズル面払拭装置では上下動）させて、ノズル面に払拭ウェブを当接／離間させるようにしてもよい。また、押圧部材を進退移動（上記実施形態のノズル面払拭装置では上下動）させて、ノズル面に払拭ウェブを当接／離間させるようにしてもよい。
【０２３９】
また、上記実施形態のノズル面払拭装置は、乾燥状態の払拭ウェブでノズル面を払拭する構成（いわゆるドライワイプ）としているが、洗浄液を含ませた状態の払拭ウェブでノズル面を払拭する構成（いわゆるウェットワイプ）とすることもできる。この場合、押圧ローラの上流側（供給軸側）に洗浄液の供給手段を配置し、押圧ローラに巻き掛けられる前の払拭ウェブに洗浄液を付与して、払拭ウェブを湿潤させる。
【０２４０】
また、上記各実施形態のノズル面払拭装置では、押圧ローラで払拭ウェブをノズル面に押圧当接させる構成としているが、払拭ウェブをノズル面に押圧当接させるための押圧部材の形態は、これに限定されるものではない。たとえば、円弧状のガイド面を有する押圧部材で払拭ウェブをノズル面に押圧当接させる構成としてもよい。
【符号の説明】
【０２４１】
Ｐ…用紙、１０…インクジェット記録装置、２０…用紙搬送部、２２…ベルト、３０…ヘッドユニット、３２（３２Ｃ、３２Ｍ、３２Ｙ、３２Ｋ）…インクジェットヘッド（ヘッド）、３３（３３Ｃ、３３Ｍ、３３Ｙ、３３Ｋ）…ノズル面、３４…ヘッド支持フレーム、４０…メンテナンス部、４２（４２Ｃ、４２Ｍ、４２Ｙ、４２Ｋ）…キャップ、４４…廃液トレイ、４６…廃液回収配管、４８…廃液タンク、８０…ノズル面清掃部、８１…洗浄液付与ユニット、８２…架台、８３…ノズル面払拭ユニット、８４（８４Ｃ、８４Ｍ、８４Ｙ、８４Ｋ）…洗浄液付与ノズル、８５（８５Ｃ、８５Ｍ、８５Ｙ、８５Ｋ）…洗浄液保持面、８６…架台、１００（１００Ｃ、１００Ｍ、１００Ｙ、１００Ｋ）…ノズル面払拭装置、１１０…払拭ウェブ、１１２…ケース、１１４…供給軸、１１６…巻取軸、１１８…押圧ローラ、１１８Ａ…押圧ローラの軸部、１２０…前段ガイド部、１２０Ａ、１２０Ｂ、１２０Ｃ…ガイドローラ、１２２…後段ガイド部、１２２Ａ、１２２Ｂ…ガイドローラ、１２４…フィードローラ、１３２…供給軸回転駆動モータ、１３４…巻取軸回転駆動モータ、１３６…フィードローラ回転駆動モータ、１３８…制御回路、１４６…軸支持部、１４６Ａ…軸支持部材、１５４…軸支持部材の凹部、１５６…バネ、１７０…ステージ、１８８…ギア列、１９０…第１ギア、１９２…第２ギア、１９４…第３ギア１９４、１９６…固定ギア、１９８…ソレノイドアクチュエータ（ソレノイド）、１９８Ａ…ソレノイドアクチュエータの可動部、２００…ニップローラ、２０１…バネ、２０２…支点、２０４…支持部材、３００…ノズル面払拭装置、４００…ノズル面払拭装置、４０２…装置本体、４０２Ａ…装置本体の収容部、４０４…モータ、４０６…駆動ギア、４０８…従動ギア、４１０…巻取ギア、４１２…フィードギア、４２０…廃液受け、４３０…制動ローラ、４３２…ソレノイドアクチュエータ、５００…ロータリーエンコーダ、５０２…回転ディスク、５０４…検出器、５０６…スリット、Ｎ…ノズル
【図１】
2014054834.tif 000003
【図２】
2014054834.tif 000004
【図３】
2014054834.tif 000005
【図４】
2014054834.tif 000006
【図５】
2014054834.tif 000007
【図６】
2014054834.tif 000008
【図７】
2014054834.tif 000009
【図８】
2014054834.tif 000010
【図９】
2014054834.tif 000011
【図１０】
2014054834.tif 000012
【図１１】
2014054834.tif 000013
【図１２】
2014054834.tif 000014
【図１３】
2014054834.tif 000015
【図１４】
2014054834.tif 000016
【図１５】
2014054834.tif 000017
【図１６】
2014054834.tif 000018